(57)【要約】      （修正有）【課題】室内から外向けの掲出用表示体に関するものであり、特に不動産業を営む店頭のウインドウガラスの内側から外に向けて掲出するのに適した表示体を提供する。【解決手段】矩形のプラスチックフィルム製表示カバー本体1の裏面の上下辺に沿って帯状の押さえ片2を固着し、且つその押さえ片のほぼ中央部位に摘み片3を設け、且つ当該表示カバー本体の正面の上辺に沿って剥離紙5付き粘着テープ4を接着し、表示カバー本体1と押さえ片2の間に紙製表示用紙6とポリプロピレン樹脂を主原料とする合成紙を可とする当て紙7を挟入したことを特徴とする室内から外向けの掲出用表示具の構造。【選択図】図１
0003100823.tif 000002
【実用新案登録請求の範囲】
【請求項１】
透明のプラスチックフィルム性の表示カバー本体(1)の裏面の上下辺に沿って帯状の押さえ片(2)を固着し、且つその押さえ片のほぼ中央部位に摘み片(3)を設けたことを特徴とする室内から外向けの掲出用表示具。
【請求項２】
矩形の透明プラスチックフィルム製表示カバー本体(1)の裏面の上下辺に沿って帯状の押さえ片(2)を固着し、且つその押さえ片のほぼ中央部位に摘み片(3)を設け、且つ当該表示カバー本体の正面の上辺に沿って剥離紙(5)付き粘着テープ(4)を接着し、表示カバー本体(1)と押さえ片(2)の間に物件表示用紙(6)とポリプロピレン樹脂を主原料とする合成紙を可とする当て紙(7)を挟入したことを特徴とする室内から外向けの掲出用表示具。
【考案の詳細な説明】
【技術分野】
【０００１】
本考案は室内から外向けの掲出用表示体に関するものであり、特に不動産業を営む店頭のウインドウガラスの内側から外に向けて掲出するのに適するものである。
【背景技術】
【０００２】
一般に不動産業を営む業者は、屋内のウインドウガラスに内側から不動産物件を表示した用紙を外に向けて貼り出すことが行われている。
【特許文献１】実開平０６−０３７８７９号公報
【特許文献２】実用新案登録第３０６５５２７号公報
【特許文献３】実開平０６−０３６０８０号公報
【０００３】
ところが、従来のように物件を表示した紙を直接ウインドウガラスに粘着テープで貼り出すことは、気温や湿度の変化によって皺になったり、膨張歪みが生じたりすることがあり、また、表示した物件が成約したことによって物件表示用紙を剥がすと、次の物件表示紙を貼るまでの間は剥がした部分が素通しになり、外から内部が丸見えになって具合いが悪い。
【０００４】
そこで、従来においても、店頭等のガラス窓の内側に、広告表示面が外に向くように貼着した構造において、ボードの裏面を筆記具で書き込めるボードを形成し、その上下部にプラスチック板を平行に設け、この上下のプラスチック板の間にホワイトボードを横方向から差し込んで装着した広告表示ボードである（第１の特許文献）。
【０００５】
また、掲示する用紙を挟み込む２枚のフィルムから成るケースに表面に所定の表示が施されている構成の商店用掲示具である（第２の特許文献）。
【０００６】
さらに、店頭のガラス面に縦横の支柱で複数の枠体を成形して吸盤でガラスに吸着設置し、その枠体にチラシを挟んだケースを差し込んだ構成のチラシ等の掲示装置である（第３の特許文献）。
【考案の開示】
【考案が解決しようとする課題】
【０００７】
上記従来の公開されたと特許文献のうち、第１のものは、広告表示ボードの支持体が分厚いプラスチック板を上下に配置しなければならず、構造が且つそのホワイトボードの脱着するのも面倒である。
【０００８】
また、第２のものは、広告を表示した掲示具を商品の傍においたり貼り付けたりするが、少なくともガラスに貼付する構成にはなっていない。
【０００９】
さらに、第３のものにあっては、縦横の支柱で枠体を成形して吸盤による装着するものであるから、構造が複雑で且つ大型化とし、狭いスペースでも効率的に掲出する場合には馴染まない。
【課題を解決するための手段】
【００１０】
そこで本考案は従来の課題を解決し、考案の目的を達成するために提供するものである。
本考案の第１は室内から外向けの掲出用表示具において、プラスチックフィルム製表示カバー本体の裏面の上下辺に沿って帯状の押さえ片を固着し、且つその押さえ片のほぼ中央部位に摘み片を設けたものである。
【００１１】
本考案の第２は室内から外向けの掲出用表示具において、矩形のプラスチックフィルム製表示カバー本体の裏面の上下辺に沿って帯状の押さえ片を固着し、且つその押さえ片のほぼ中央部位に摘み片を設け、且つ当該表示体本体の正面の上辺に沿って剥離紙付き粘着テープを接着し、表示カバー本体と押さえ片の間に紙製の物件表示用紙とポリプロピレン樹脂を主原料とする合成紙を可とする当て紙を挟入したものである。
【考案の効果】
【００１２】
本考案は上記の構成であるから次の効果がある。第１に表示具本体の裏面に設けた上下押さえ片によって物件表示用紙を簡単且つ容易に差し込装着又は取り外すことができる。
【００１３】
第２に物件表示用紙を押さえる押さえ片は摘み片によって、差し込口が簡単容易に開閉できる。
【００１４】
第３に表示具本体に装着する物件表示用紙の裏にさらに当て紙を当ててあるので、当該物件表示用紙を差し替えるために取り去った場合でも当て紙が残っているので、その部位が素通しになることがなく、外から室内を覗き見されるようなおそれがなくなる。
【００１５】
第４に当て紙は、ポリプロピレン樹脂を可とする合成紙を用いたことにより、耐水性及び耐湿気性に強く物件表示用紙の湿気吸着を防ぐことができる。
【００１６】
第５に表示カバー本体の正面の上辺に予め剥離紙付き粘着テープを接着してあるため、使用に際して剥離紙を剥がしてその粘着テープを掲示用ガラスの所定位置に押し付けるだけで室内から外に向けて物件表示用紙を掲出できる。
【００１７】
第６に物件表示用紙を押さえる押さえ片は、その中央部位にある摘み片を摘み上げるだけで簡単に開口辺が開くことができ。且つ摘み片を離すと原位置に戻って物件表示紙をずれないように押圧する。
【考案を実施するための最良の形態】
【００１８】
以下、本考案を実施するための最良の形態について説明する。
【実施例１】
【００１９】
図において、１は透明のポリエステルフィルムを可とする表示カバー本体であり、例えばＢ４判サイズの物件表示用紙を使用する場合は、横＝３７０ｍｍ、縦＝２８０ｍｍの横長の矩形を成している。なお、物件表示用紙の大きさは、その他にもＡ４判や横＝１９０ｍｍ、縦＝１４５ｍｍ等があり、これらを長前宇大きさの表示カバー本体を成形する。
【００２０】
２はその表示カバー本体の裏面において、その上下辺に配置した帯状の押さえ片であり、表示カバー本体と同材料を用いて幅ｗを４５ｍｍに設定してある。当該押さえ片をその上下縁辺に沿って約１０ｍｍの幅で強力接着材９を介して接着固定してある。
【００２１】
３は帯状押さえ片のほぼ中央部位に設けた摘み片であり、その材質は任意であるが、図示例は帯状押さえ片と同じものを用いてある。４は表示具本体１の正面の上部縁辺に沿って接着した剥離紙５が付いている粘着テープである。
【００２２】
６は表示カバー本体１の内面に差し込んで帯状押さえ片２で押さえるようにした物件表示用紙であり、図示例にあっては、物件種別欄６１には「貸マンション」、他の所要の表示欄６２〜６nに所要時間、賃料、入居時の費用、その他の費用欄などが表示されている。
【００２３】
７はその物件表示紙の背面に重ねて一緒に表示カバー本体１に差し込装着する当て紙であり、材質はポリプロピレン樹脂を主原料とする合成紙「ユポ」と呼ばれるポリプロピレン樹脂を主原料とする合成紙を用いる。図中８は表示カバー本体に施したカラーの化粧枠線を示す。
【００２４】
「具体的な組立例」  使用に当たっては、まず表示カバー本体１の正面上部の剥離紙５を剥がして粘着テープ４の部位をウインドウガラスＧの所定の個所に内側から貼り付ける。次に表示カバー本体裏面の下辺の摘み片３を手指で摘み上げて押さえ片２の開口辺を開き、物件表示用紙６を当て紙７と一緒に挟み入れる。
【００２５】
次に上辺の押さえ片２の摘み片３を摘み上げて当該押さえ片の開口縁辺を開き、物件表示用紙６・当て紙７の上辺部を挟み入れる。
【００２６】
この状態で物件表示用紙６を取り外す場合は、前記組立例の逆の順序で行う。ただ異なるのは物件表示用紙６を取り去っても、当て紙７を残しておく。この当て紙を残すことによって、透明の表示カバー本体１の素通し状態をなくして室内の覗き見が防止される。
【産業上の利用可能性】
【００２７】
本考案は、不動産物件をウインドウガラスの内側から外に向けて掲出し、且つ必要に応じて物件表示用紙を差し替えることによって、常に正確な位置決めのもとで最新の情報を簡単明瞭に提供することができる。
【図面の簡単な説明】
【００２８】
【図１】本考案に係る室内から外向けの掲出用表示体の正面図である。
【図２】図１の背面図である。
【図３】図１の３−３線に沿う拡大断面図である。
【図４】使用状態を示す正面図である。
【符号の説明】
【００２９】
１……表示カバー本体
２……帯状押さえ片
３……摘み片
４……粘着テープ
５……剥離紙
６……物件表示用紙
７……当て紙
８……カラー化粧枠線
９……表示カバー本体に押さえ片を固着した接着材
【図１】
0003100823.tif 000003
【図２】
0003100823.tif 000004
【図３】
0003100823.tif 000005
【図４】
0003100823.tif 000006
【手続補正書】
【提出日】平成15年10月2日(2003.10.2)
【手続補正１】
【補正対象書類名】図面
【補正対象項目名】図２
【補正方法】変更
【補正の内容】
【図２】
0003100823.tif 000007
【手続補正書】
【提出日】平成15年10月2日(2003.10.2)
【手続補正２】
【補正対象書類名】明細書
【補正対象項目名】０００１
【補正方法】変更
【補正の内容】
【０００１】
本考案は室内から外向けの掲出用表示具に関するものであり、特に不動産業を営む店頭のウインドウガラスの内側から外に向けて掲出するのに適するものである。
【手続補正３】
【補正対象書類名】明細書
【補正対象項目名】００２８
【補正方法】変更
【補正の内容】
【００２８】
【図１】本考案に係る室内から外向けの掲出用表示具の正面図である。
【図２】図１の背面図である。
【図３】図１の３−３線に沿う拡大断面図である。
【図４】使用状態を示す正面図である。